(57)【要約】      （修正有）【課題】簡単に時計付き写真立てや時計機能付き鏡台を作る事を可能にする。【解決手段】透明板取付スタンド１００の後面に時計２００を取付し、又は非透明取付板に穴３５０を開けてこの穴３５０に時計表示面を合致させて取付し、この取付スタンド１００の前面に、この時計表示面に合致する位置に穴３５０を開けた表示物３００を表示する。表示物３００のこの穴３５０を透かして時計表示を見ることが出来る。【選択図】図２
2017064324.tif 000002
【特許請求の範囲】
【請求項１】
透明な取付板の一隅にアナログ時計を取付し、この取付位置に合わせて穴を開けた表示物を前記取付板の前面に表示する事によりアナログ時計機能付き写真立てになる時計付き表示スタンド
【請求項２】
透明な取付板の一隅にアナログ時計を取付し、この取付位置に合わせて非反射面を設けた鏡を前記取付板の前面に表示する事によりアナログ時計機能付き鏡台になる時計付き表示スタンド
【請求項３】
非透明な取付板の一隅に穴をあけて、当該位置にアナログ時計をこの表示針が見える様に取付し、このアナログ時計の位置に合わせて穴を開けた表示物を前記取付板の前面に表示する事によりアナログ時計機能付き写真立てになる時計付き表示物スタンド
【請求項４】
非透明な取付板の一隅に穴をあけて、当該位置にアナログ時計を取付し、この穴位置に合わせて非反射面を設けた鏡を前記取付板の前面に表示する事によりアナログ時計機能付き鏡台になる時計付き表示スタンド
【請求項５】
アナログ時計を縦向き、横に自在に取付板に取付する手段を有する請求項１〜請求項４記載の時計付き表示スタンド
【請求項６】
取付板の前面に一定の空隙を隔てて透明な表面板を取付し、この空隙に表示物を抜き差し自在に差し込み表示する事を特徴とする請求項１〜請求項５記載の時計付き表示スタンド
【発明の詳細な説明】
【技術分野】
【０００１】
本発明はアナログ時計付きの写真スタンドや鏡台やカレンダースタンドを簡単に作る事が出来るアナログ時計表示物スタンドである。 
【０００２】
【背景技術】
【０００３】
アナログ時計付きの写真スタンド作るには、構造が複雑で、製造コストが大きくなる欠点があった。
【０００４】
また同様にアナログ時計機能付きの鏡台を作るためには、構造が複雑で、製造コストが大きくなる欠点があった。
【０００５】
アナログ時計機能付きの写真立てとして、図１に示す様に時計固定板１００の中心位置に時計の回転軸があり、これに沿った切り込み１５０をこれに沿って差し込み、表示針２５０が標示物３００の前面に位置する用に表示するのもが従来から存在したが、切り込みを入れる作業が煩わしく普及に至っていない。
【０００６】
時計取付板に多数個の表示針取付穴を配列し、このいずれかに合致する位置に表示物に穴をあけて表示針を取り付けるもの（特許文献１）があったが、これも手順や構造が複雑であった。
【０００７】
前記した図１の、写真に切り込みを入れて表示する時計付き写真立てが普及しなかったのは、切り込みを入れる作業の煩わしさもさることながら、写真や絵に傷をつける事は、写真や絵は高価なもので、大切なものに傷をつける事への罪悪間や躊躇と云う嘗ての時代背景もあった。  しかし写真や絵が、安価に印刷及びコピー出来る現在に於いても、その既成概念は覆される事がなく、写真や絵に切り込みを入れたり穴を開ける様な発想の写真立ては存在していない。
【０００８】
写真や絵に傷をつけない時計付き写真立てとして、表示針と時計ムーブメントの間に空隙を設けて磁気誘動により表示針を駆動し、この空隙に表示物を挿入、出し入れするもの（特許文献２）があるが、磁石を使うため構造が複雑で、コストが増大する欠点があった。
【０００９】
鏡台に於いては、デジタル時計を鏡台に取り付けたものが提案されているが、デジタル時計は経過時間を直感的に把握出来ない欠点があり、アナログ時計を具備するものが求められているが、簡単で安価に作る事の出来る時計付き鏡台は現在に於いても存在しない。
【先行技術文献】
【特許文献】
【００１０】
【特許文献１】実願平６−７７２４
【特許文献２】特願２０００−３５１９６７
【発明の概要】
【発明が解決しようとする課題】
【００１１】
複雑な構造を必要とせず、写真や絵等の一隅に穴を空けた表示物、又は一隅に非反射面と設けた鏡を組みあわせて、簡単に時計機能付きの写真立てや鏡台やカレンダースタンドを簡単に作る事が出来るようする。
【課題を解決するための手段】
【００１２】
アナログ時計を透明な取付板の一隅に取付する。そしてこの取付板の前面に、表示物に穴を開けた表示物又は、非反射面を設けた鏡を装着するのであるが、表示物の穴の位置、又は非反射面の位置と、アナログ時計の表示面とを合致させる事が肝要であり、これにより、表示物又は鏡が時計表示面を隠す事がないので、表示針を見ることが出来るのである。
【００１３】
更に、時計を横向きにも、縦向きにも取付出来るようにする。これにより、写真立てを横置きにしても、縦置きにしても、これにあった時刻表示がなされのである。
【００１４】
鏡台に於いては、鏡の一隅に反射膜を非蒸着にした非反射部を設けて透明にして、この透明部とアナログ時計の表示面とを一致させて取付する。
【発明の効果】
【００１５】
複雑な組み立て作業を行うことなく時計機能付き写真立てや鏡台、カレンダースタンド等を簡単に作る事が出来る。
【図面の簡単な説明】
【００１６】
【図１】表示物に切り込みを入れた従来のもの
【図２】取付スタンドが透明板である本発明の図
【図３】取付スタンドが非透明板である本発明の図
【図４】取付スタンドを縦表示にするため時計を縦方向に取り付けている本発明の図
【図５】写真を透明前面板で挟み付けて表示する本発明の図
【図６】取付スタンドに空隙を設けて表示物を出し入れする本発明の図
【図７】空隙に写真を装着した透明表示物ホルダーを出し入れ手順を示した本発明の図
【発明を実施するための形態】
【００１７】
図２以下を使い、本発明の説明をする。図２に示す様に、透明な板状取付スタンド１００の右下隅にアナログ時計２００を固着する。そしてこの前面に表示物たる写真３００に前記アナログ時計２００の取付位置に合わせて時計用穴３５０を空け、化粧固定ネジ６００で写真３００を固定する。これによりこの時計用穴３５０から時刻表示針２３０が見えるので、時計付き写真立てとなるのである。
【００１８】
図３は非透明な板状取付スタンド１５０の右下隅にアナログ時計２００を横置き式にて時計固定ビス２１０で取付するものであるが、この非透明な板状取付スタンド１５０の右下隅には、アナログ時計２００の時刻表示針２３０が見えるように、時計用表示穴１５５が空けられていて、この位置にアナログ時計２００が時計固定ビス２６０で取付される。つまり非透明な板状取付スタンド１５０であっても、これに空け表示用の窓穴から、時刻表示針２３０を見ることが出来るのである。
【００１９】
そしてこの前面に、前記アナログ時計２００の位置に合わせて時計用穴３５０を空けた写真３００を化粧固定ネジ６００で固定する。これによりこの時計用穴３５０から時計表示針２３０が見える時計付き写真立てとなるのである。
【００２０】
図４は時計２００を縦向き、横向きに取付自在にする手段を有し、横置き、縦置きの時計付き写真立てにする事が可能なものであり、時計取付穴１６２が４個空けられていて、時計これにより縦長な標示物、横広な標示物でも対応可能になるのである。
【００２１】
図１〜図４に於いては写真３００にビス用穴３６０を開け、取付スタンドに直接ネジ止めしている例であるが、図５に示す様に表面板４００で写真３００を挟み付けて係止していてもよい。
【００２２】
図６は一隅に非反射面５５０を有する鏡５００を鏡取付具６５０で取付スタンドに取付したもので、時計付き写真立てを作ると同様、簡単にアナログ時計付鏡台が完成する事を示したである。
【００２３】
図７は取付スタンド１００に隙間Ｓを設けて表面板４００を取付したもので、この隙間Ｓに写真３００を抜き差し自在に差し込むものである。スムーズに抜き差し出来るようにシート状の透明表示物ホルダー７００に写真３００を図８に示す様な手順で、空隙Ｓに写真３００を差込んで表示する。
【符号の説明】
【００２４】
１００    透明板の取付スタンド
１３０    スタンドを立てる支持棒
１５０    非透明板の取付スタンド
１５５    時計用表示穴
１６２    時計固定穴
１６３    表示物固定穴
１６４    表面板固定穴
２００    アナログ時計
２３０    時刻表示針
２６０    時計取付ビス
３００    写真
３５０    時計用穴
３６０    ビス差込穴
３８０    スペーサー
４００    前面板
５００    鏡
５５０    非反射面
５６０    鏡取付具
６００    化粧ビス
７００    透明表示物ホルダー
Ｓ        表示物を差し込む隙間
【図１】
2017064324.tif 000003
【図２】
2017064324.tif 000004
【図３】
2017064324.tif 000005
【図４】
2017064324.tif 000006
【図５】
2017064324.tif 000007
【図６】
2017064324.tif 000008
【図７】
2017064324.tif 000009